(57)【要約】【課題】その場に応じて靴の踵の高さを簡易に調整可能とするとともに、意匠性を損なわずに優れた履き心地を確保することができる婦人靴を提供する。【解決手段】踵の高さ変化に対応する伸縮機能を有する靴本体１に、高さ調整可能なヒール部材２を取付けて成る婦人靴において、前記したヒール部材２を、靴本体１に固着された上部ヒール体１０と、その上部ヒール体１０にネジを介して取付けられ、且つ上下移動可能に設けられた下部ヒール体２０とにより形成するとともに、上部ヒール体１０の内部に中空部１１を設け、上方移動した下部ヒール体２０を、中空部１１に収容可能に構成する。【選択図】図１
2007283069.tif 000002
【特許請求の範囲】
【請求項１】
踵の高さ変化に対応する伸縮機能を有する靴本体に、高さ調整可能なヒール部材を取付けて成る婦人靴において、前記したヒール部材を、靴本体に固着された上部ヒール体と、その上部ヒール体にネジを介して取付けられ、且つ上下移動可能に設けられた下部ヒール体とにより形成するとともに、上部ヒール体の内部に中空部を設け、上方移動した下部ヒール体を、前記中空部に収容可能に構成したことを特徴とする高さ調整可能な婦人靴。
【請求項２】
踵の高さ変化に対応する伸縮機能を有する靴本体に、高さ調整可能なヒール部材を取付けて成る婦人靴において、前記したヒール部材を、靴本体に固着された上部ヒール体と、上部ヒール体に着脱自在に取付けられた下部ヒール体とにより形成するとともに、前記した下部ヒール体に代えて、別体の接地部材を取付可能に構成したことを特徴とする高さ調整可能な婦人靴。
【請求項３】
上記した下部ヒール体を、コイルバネ等から成るラッチ機構を介して上部ヒール体に取付けたことを特徴とする請求項１に記載の高さ調整可能な婦人靴。
【発明の詳細な説明】
【技術分野】
【０００１】  本発明は、ハイヒール等のような踵の高い婦人靴に係るものであり、さらに詳しくは、プライベートなパーティーに出席するために美しく装う場合や、通勤あるいは旅行等で活動的に歩行する場合のような様々な場面に対応して、踵の高さを簡易に調整することができる婦人靴に関するものである。
【背景技術】
【０００２】  従来、服装の意匠性を優先する場合はハイヒールを使用し、通勤や旅行等のように活動的に歩行する場合はローヒールやスニーカーを使用するというように、その場に応じた靴を選択して着用していた。したがって、例えば遠方で開かれるパーティーに出席する場合などでは、出発時から帰宅時まで終始ハイヒールのみを履いて過ごすと疲労が大きく、また疲労を少なくしようとすれば、往復の移動時にはローヒールを履き、パーティー会場でハイヒールに履き替えるというように、現在着用していない方の靴を荷物として携帯しなければならないという不具合があった。【０００３】  このような不具合を解消するために、ヒールを１８０°回転させて、ヒールの本体部を折りたたみ状態に設定することにより、踵の高さを調整するようにしたヒール切換え式シューズの提案がなされている（例えば、特許文献１参照。）。また靴底の踵の取付け部分にネジ部を形成し、踵の高いヒール部材と踵の低いヒール部材を交換して取付けるように構成した靴も開示されている（例えば、特許文献２参照。）。
【特許文献１】特開２００４−１２１７６５号公報（第２−３頁、図２）
【特許文献２】特開２００１−３１４２０６号公報（第２−３頁、図１）
【発明の開示】
【発明が解決しようとする課題】
【０００４】  上記した特許文献１のヒール切換え式シューズは、横倒し状のヒールを地面に接触させて歩行するので、ヒールが傷ついたり汚れたりする可能性が高く、また歩行によってヒール側面が磨耗する危険性もあった。したがって、このヒールを元の状態に復帰させてハイヒールとして使用する場合は、見た目が非常に汚いので、美しい装いを帳消しにしてしまうという欠点があった。【０００５】  また上記した特許文献２の靴は、前述した特許文献１のヒール切換え式シューズの欠点を解消することはできるが、靴底における足の踵を乗せる部分を肉厚状に形成してネジ部を設けなければならず、足が靴から抜け易いので履き心地が悪く、また軽快に歩行することが困難であるという問題点があった。【０００６】  そこで本発明は、その場に応じて靴の踵の高さを簡易に調整可能とするとともに、意匠性を損なわずに、優れた履き心地を保持することができる婦人靴の提供を目的とするものである。
【課題を解決するための手段】
【０００７】  上記の目的を達成するため、本発明では以下のような技術的手段を講じるものである。
すなわち、請求項１に記載した本発明は、踵の高さ変化に対応する伸縮機能を有する靴本体に、高さ調整可能なヒール部材を取付けて成る婦人靴において、前記したヒール部材を、靴本体に固着された上部ヒール体と、その上部ヒール体にネジを介して取付けられ、且つ上下移動可能に設けられた下部ヒール体とにより形成するとともに、上部ヒール体の内部に中空部を設け、上方移動した下部ヒール体を、前記中空部に収容可能に構成したことを特徴とする高さ調整可能な婦人靴である。【０００８】  請求項２に記載の本発明は、踵の高さ変化に対応する伸縮機能を有する靴本体に、高さ調整可能なヒール部材を取付けて成る婦人靴において、前記したヒール部材を、靴本体に固着した上部ヒール体と、上部ヒール体に着脱自在に取付けられた下部ヒール体とに分割して形成するとともに、前記した下部ヒール体に代えて、別体の接地部材を取付可能としたことを特徴とする高さ調整可能な婦人靴である。【０００９】  請求項３に記載の本発明は、請求項１に記載の高さ調整可能な婦人靴において、上記した下部ヒール体を、コイルバネ等から成るラッチ機構を介して上部ヒール体に取付けたことを特徴とするものである。
【発明の効果】
【００１０】  本発明の高さ調整可能な婦人靴を使用すれば、高さの異なる靴に履き替える必要が生じた場合に、現在着用中の靴の高さをワンタッチで変更することができる。したがって電車等による通勤や旅行、仕事、車の運転などのような活動的に行動する場面で、ハイヒールからローヒールに設定変更すれば、疲労の軽減や軽快な動作、安全性の向上などを実現することができ、またパーティーなどのような服装の意匠性に配慮する必要のある場面で、ローヒールからハイヒールに設定変更すれば、その場の雰囲気にマッチした装いをすることができるという顕著な効果がある。【００１１】  さらに本発明に成る婦人靴は、下部ヒール体を上部ヒール体内に収容するように構成されていて、不使用時の下部ヒール体が傷ついたり汚れたりすることがないので、靴の美観を損なうことがないという大きな特長を有しており、また本発明品は、構造がシンプルで部品点数が少ないので、安価に製造することができるという利点や、煩雑な操作が不必要で取り扱いが容易であるという利点がある。
【発明を実施するための最良の形態】
【００１２】  婦人靴の踵を成すヒール部材を、上部ヒール体と下部ヒール体とに２分割して形成するとともに、両者を雌雄のネジまたはラッチ機構を介して連結し、踵の高さを変更する場合は、下部ヒール体を上昇させて上部ヒール体内の中空部に収容するか、または中空部内から降下させる。
【実施例１】
【００１３】  以下に、本発明の第１の実施例を図１〜図３に基いて説明するが、本発明の各実施例で使用される靴本体１は、踵の高さの変化に対応するために、その爪先部から側面部に至る間に、あらかじめ伸縮機能が付与されている。この伸縮機能の付与には、例えば、靴の前半部の全体を伸縮性の大きな素材で形成したり、爪先部と側面部の間に伸縮性の素材を介在させる等の様々な方法がある。【００１４】  また本発明の各実施例で使用されるヒール部材２は、いずれも上部ヒール体１０と下部ヒール体２０に２分割されて成るものであるが、ヒール部材２の形状およびヒール形成用素材は、一般的に市販されているハイヒール型婦人靴と全く同様な形状および素材が採用されるものとする。なお上部ヒール体１０と下部ヒール体２０の連結部分においては、あまり不自然な段差があると意匠性に欠けるので、この点についてのデザイン的な配慮がなされるのが好ましい。【００１５】  上部ヒール体１０は、一般的な靴と同様に、靴本体１と分離不能に固着されているが、その内部には、図１および図２に示すように、下部ヒール体２０を収容するための中空部１１が形成されており、その中空部１１の壁面には、雌ネジ部１２が刻設されている。また下部ヒール体２０は、その下端部に、硬質ゴム等で形成された接地部材３が固着されており、さらにそのヒール体外周の一部または全部に雄ネジ部２１が刻設されている。この場合の下部ヒール体２０は、上部ヒール体１０に着脱不能に取付けられており、雌ネジ部１２の最下部と雄ネジ部２１の最下部が螺合する位置が、ハイヒール状に設定する位置であり、また雌ネジ部１２の最上部と雄ネジ部２１の最上部が螺合する位置が、ローヒール状に設定する位置である。【００１６】  なお、図２においては、下部ヒール体２０の上部のみに雄ねじ部２１を刻設する例が示されているが、この雄ネジ部２１はヒール外周の全面に亘って設けられてもよい。さらに本実施例では、この下部ヒール体２０を所定の位置で固定するための固定手段を設けていないが、例えば後述する実施例３で示すような固定手段を設けるようにしても差し支えない。【００１７】  以上のような構成の実施例１において、図１のようなハイヒールの形態から図３のようなローヒールの形態に高さを変更する場合は、下部ヒール体２０をネジ溝に沿って回転させながら上方移動させると、下部ヒール体２０は上部ヒール体１０の中空部１１に順次収容されていき、回転が停止した時点で中空部内への収容が完了する。この場合に、下部ヒール体２０の下端部に取付けられた接地部材３が、上部ヒール体１０の下端から突出するように構成されるものとする。なおローヒールの形態からハイヒールの形態に高さを変更する場合は、上記と逆の操作をするようにする。
【実施例２】
【００１８】  次に、本発明の第２の実施例について説明する。この実施例は、下部ヒール体２０を上部ヒール体１０に着脱自在に取付ける構成とするもので、図１のようなハイヒールの形態から図８のようなローヒールの形態に高さを変更する場合は、下部ヒール体２０を取り除き、別途に用意した単独の接地部材３を、上部ヒール体１０に取付けるものである。なおこの場合の接地部材３の取付方法は任意であり、螺合、嵌合、冠着等のいずれの手段を用いても差し支えない。
【実施例３】
【００１９】  続いて、図４を参照しながら本発明の第３の実施例について説明する。本実施例は、下部ヒール体２０の上部ヒール体１０への取付けを、例えばボールペンやジャンプ傘に見られるようなノック式構造で取付けるものである。このようなノック式構造としては、コイルバネ４１や可動係止爪４２、図示しない導通孔等によるラッチ機構４が広く知られており、本実施例でも、このラッチ機構４を採用するものである。したがって、図４における仮想線で示すようなハイヒールの形態から実線で示すようなローヒールの形態へ移行させる場合は、仮想線で示す矢印の如くに下方からノックすると、下部ヒール体２０は、ワンタッチで中空部１１の内部に上方移動してロックされる。またローヒールの形態からハイヒールの形態へ移行する場合は、実線で示す矢印の如くに下方からノックすると、下部ヒール体２０のロックが解除され、ワンタッチで下方移動して元の位置に復帰し、その位置で再びロックされるようになっている。【００２０】  上述のようなラッチ機構を採用する場合に、歩行による地面からの衝撃でラッチ機構のロック状態が不用意に解除される危険性があるので、下部ヒール体２０を所定の位置で固定するための固定手段を設ける必要がある。本実施例では、この固定手段をロックピンの使用で解決している。すなわち、上部ヒール体１０にはロック溝１３Ａ，１３Ｂが形成されており、また下部ヒール体２０には上部の適所にロック溝２３が形成されているので、ロック溝１３Ａとロック溝２３が直線上に並んだ時点でロックピン５を差し込むと、下部ヒール体２０はローヒールの形態で固定することができ、またロック溝１３Ｂとロック溝２３が直線上に並んだ時点でロックピン５を差し込むと、下部ヒール体２０はハイヒールの形態で固定することができるようになっている。なお上記した下部ヒール体２０の所定位置での固定手段は、ロックピンを用いることに限定するものではないので、公知の様々な固定手段を採用してもよいことは勿論である。【００２１】  本発明は以上のような構成とするもので、一足の靴をローヒールの形態からハイヒールの形態へ（またはその逆の形態へ）高さの調整を簡単容易に行うことができるので、一日の生活の中でも、その場に応じて踵の高さを変更すれば、疲労の軽減や軽快な動作、安全性の向上などを実現でき、またその場の雰囲気にマッチした装いをすることができるものである。さらに本発明が対象とする靴は、図示のようなハイヒール状の靴に限定するものではなく、ブーツ、パンプス、長靴などの婦人靴や、男性用靴などにも広く応用することが可能である。
【図面の簡単な説明】
【００２２】
【図１】本発明の実施例１の使用形態を示す一部切欠側面図である。
【図２】実施例１において、靴の踵の高さを低くした状態の要部拡大断面図である。
【図３】本発明の使用形態を示す側面図である。
【図４】実施例３において、靴の踵の高さを低くした状態の要部拡大断面図である。
【符号の説明】
【００２３】  １  靴本体
２  ヒール部材
３  接地部材
４  ラッチ機構
５  ロックピン
１０  上部ヒール体
１１  中空部
１２  雌ネジ部
１３Ａ，１３Ｂ  ロック溝
２０  下部ヒール体
２１  雄ネジ部
２２  ロック溝
４１  コイルバネ
４２  可動係止爪
【図１】
2007283069.tif 000003
【図２】
2007283069.tif 000004
【図３】
2007283069.tif 000005
【図４】
2007283069.tif 000006